(57)【要約】      （修正有）【課題】毎日の服薬を簡単に、飲み間違い、飲み忘れ、二重飲み過ぎを防止することと、従来の薬箱のイメージを払拭し明るい服薬支援薬箱を提供する。【解決手段】本体薬箱に朝・昼・夕・夜を四つの複数の色と文字で表示しそのうちの一つの表示部分を露出して、他の三つの表記部分を覆うプレートを順次スライド移動させ表示を変えるスライド移動表示部を備え、連続表示領域を装着して服薬支援薬箱とする。【選択図】図１
0003143329.tif 000002
【実用新案登録請求の範囲】
【請求項１】
本体薬箱に朝・昼・夕・夜を四つの複数の色と文字で表示しそのうちの一つの表示部分を露出して、他の三つの表記部分を覆うプレートを順次スライド移動させ表示を変えるスライド移動表示部を備えた  連続表示領域を装着した服薬支援薬箱。
【請求項２】
薬箱の引き出しの表面に自分が飲む薬の  朝・昼・夕方・夜  を各々異なったバックの色と文字で印刷されているシール又は印刷板を前期スライド移動表示部の表示形態と同一の表示形態で表示される事を特徴とする  請求項1に記載の服薬支援薬箱。
【請求項３】
前面扉の表面に額縁を装着して  絵画・色紙・座右の銘
観光地・温泉地・各種CM・各種写真  等の装飾に利用して薬箱以外で小物整理箱としても利用できる  請求項1,  2に記載の服薬支援箱。
【考案の詳細な説明】
【技術分野】
【０００１】
本考案は毎日の服薬の飲み忘れ、飲み間違い、二重飲み過ぎの3点を防止する服薬支援薬箱の技術分野に属する
【背景技術】
【０００２】
従来の服薬支援薬箱は薬を収納するだけの薬箱が多く  薬を分納する仕掛けの付いた薬箱は、薬を収納する時に複雑で手間が掛かり、又高度な電気装置を装着した薬箱は価格的に高価になり電気装置使用に不安を感じ高齢者層にはなじめなかった  又若中年者層では薬箱の昔からのイメージがあり使用にためらいがあった
【特許文献１】実用新案登録  第3111597号
【考案の開示】
【考案が解決しようとする課題】
【０００３】
従来は構造上使用する始めに複雑な手間が掛かり、電気装置を装備した薬箱は価格高や、故障の心配、取り扱いの不安、などで服薬支援薬箱の一般的利用が甚だすくない現状である。
【０００４】
従来の服薬支援薬箱の構造はほとんどが医院、薬局から渡された服薬日数分の薬をその日数だけ分配して収納する方法が多く服薬の種類の多い人はこの作業に手間が掛かった。
【０００５】
薬箱と云えば日本ではなぜか良くないイメージがある。
【０００６】
毎日複数の薬を服薬している人には、薬の飲み忘れ、飲み間違い、二重飲み、の事故はいつ起きるか判らない  この事故を未然に、手軽に、防止できる、服薬支援薬箱の存在も知らない人も多く未だ普及してない現状である。
【０００７】
本考案は薬箱本体に装着している表示器と  各引き出しの表面に  朝、昼、夕、夜  をバックの色を替えその上に文字で  朝、昼、夕、夜  と表示し又服薬するのが  食前か  食後かに  ○印をつけ  その下に服薬する数量欄に数を記入した  シール又は印刷板を貼付する事により薬箱の扉を開ければ一目でその時飲む薬がすぐに取り出して服薬でき、又  扉の表面に額縁を装着した事により前期の課題を解決した。
【０００８】
2
本考案はこの服薬支援薬箱を利用することによって医師の指示通りの何種類もの薬が扉を開けて一目でその時に飲む複数の薬が判りまた薬の引き出しに納入と取り出しが手軽にでき、また表示器により、薬の飲み忘れ、飲み間違い、二重飲み過ぎ  を容易に防止でき  しかも従来の薬箱のイメージが明るくなって利用する人が多くなりこの服薬支援薬箱がいかに便利かが証明される。
【０００９】
図1は  正面から見た扉を開放した  使用中の状況の斜視図である。11のシールは朝の文字は黒  バックの色は黄色になっている  この引き出しには朝に飲む薬を入れてある、12のシールは朝のバックが黄色、昼のバックが青色で  朝、昼の文字はどちらも黒色である  この引き出しには朝と昼に飲む薬を入れてある、13のシールはバックが黒色で白色文字で夜となっているこの引き出しには夜に飲む薬を入れてある  14のシールは朝のバックは黄色、昼のバックは青色、夕のバックはオレンジ色で文字は朝昼夕とも黒色で、この引き出しには朝昼夕に飲む薬を入れてある  15のシールはバックの色はオレンジ色に黒文字で夕とあるこの引き出しには夕方に飲む薬を入れてある、このバックの色は  朝は黄色  昼は青色  夕方はオレンジ色  夜は黒色  と規定し色にて一目で朝、昼、夕、夜、を判別し更に文字で再確認する方法を採用している  シールに他に服薬が食前か食後か
を○で記入欄があり該当する箇所に○をつけておく  更に数量を記入する欄があるのでそこに服薬する数量を記入すればいい  シールは裏紙をめくれば貼付できる  このシールは  図7  に掲示してある各種類計18枚を添付してある、シールは引き出し表の  10の位置に貼付する  貼付する位置は8箇所にあり最大8種類の薬を収容する事ができる、引き出しは4個とも中に23の移動式の区切り板があり薬の量により左右の容積を調節る事ができる、シールで確認して該当する薬を服用したら必ず  1  の表示器の5  のツマミを左横にスライドさせて今服用した朝、昼、夕、夜にお薬飲みましたの表示を出してください、6  はこの表示をスライドして必ず替えて頂く注意書き板です
【００１０】
図2は扉を閉じて正面からの図であり  9は薬箱の移動時の取り手、19は扉の開閉時のツマミ、21は扉の正面に取り付けてある額縁で、中に22の透明アクリル板が入れてある  底部には20のゴムクッションが四隅に取り付けられている、18の蝶番で本体と扉を連結している。
【００１１】
図3は右側面の図である。
【００１２】
図4は右側上部斜視図である。
【００１３】
図5は斜め上方から扉を開放し引き出しを引き出した状態の斜視図である、17は引き出しのツマミで、23は引き出しの中の区分を自由に変更できる仕切り板である  1は表示器である。
【００１４】
図6は扉の前面に装着されている額縁に写真を掲載した参考図である。
【００１５】
図7は引き出し表面の10に貼付する各シール18枚セットである。
【図面の簡単な説明】
【００１６】
【図１】正面から見た扉を開放した状況の斜視図
【図２】正面から見た扉をとじた状況の正面図
【図３】右側面から見た斜視図
【図４】右側上部から見た斜視図
【図５】扉を開けて引き出しをひきだし、その中の左右の容積を自由に変える仕切り板の図
【図６】扉の正面に装着されている額縁に写真を掲載した参考図
【図７】薬を飲む時に食前か食後の記入と飲む量を記入して引き出し表の        10に貼るシールのワンセットである。
【符号の説明】
【００１７】
・  朝、昼、夕、夜、に服用する薬を飲んだ事を表示する表示器
・  朝、昼、夕、夜、のいずれの表示にも、お薬飲みましたと白地に黒文字で表示される
・  この部分は黄色のバックに朝、青色のバックに昼、オレンジのバックに夕、と文字は朝昼夕とも黒字で、夜は黒バックに白字で表示される
・  表示器の表示を変えるスライド板、この板の移動によって朝、昼、夕夜の表示が変る、この板は3枚ありマグネットの作用で落ちないようになっている  
・  表示板を移動するときに使用するツマミ
・  薬を飲んだら必ず表示を変えて下さいの注意書
・  扉を閉めた時に8の金属板に密着する磁石板
・  磁石板7に密着する金属板                                            
・  本体を移動する時使用する取り手
・  図7の各シールを貼付する位置  位置の指示あり
・  図7の11のシール
・  図7の12のシール
・  図7の13のシール
・  図7の14のシール
・  図7の15のシール
・  各シールの右側に記載されている、前、後、錠
・  引き出しのツマミ
・  本体と扉を連結している蝶番
・  扉を開けるときのツマミ
・  本体底部四隅に装着しているゴムクッション
・  扉正面に装着されている額縁
・  額用透明アクリル板
・  薬の量により引き出しの中の左右の容量を自由に調節できる仕切板
【図１】
0003143329.tif 000003
【図２】
0003143329.tif 000004
【図３】
0003143329.tif 000005
【図４】
0003143329.tif 000006
【図５】
0003143329.tif 000007
【図６】
0003143329.tif 000008
【図７】
0003143329.tif 000009